(57)【要約】【課題】収納空間を区画する内側壁に棚板を安定的に連結可能でありながらも収納間口に応じて容易に対応可能な棚連結部材及びこれを備えた棚板装置を提供する。【解決手段】収納空間４を区画する内側壁３ａに棚板１０を連結する棚連結部材２であって、前記棚板の下面１２に棚板幅方向に延びるように設けられた下方側及び幅方向外方側に開口した収容凹溝１３に収容される下方側及び幅方向外方側に開口し、かつ前記棚板の幅寸法に応じて切断可能とされたベース部材１５と、前記ベース部材に収容され、該ベース部材の天板部１６を貫通する止具９によって前記棚板に固定される固定部２８、及びこの固定部に対して固定的に設けられ、かつ前記棚板の側端面１１から幅方向外方側に向けて突出するように配置され、前記内側壁に設けられた係合穴３ｂに挿入される係合突起部２２を有した棚連結部２０と、前記ベース部材の下方側開口を覆うように配設され、かつ前記棚板の幅寸法に応じて切断可能とされたカバー部材１９と、を備えている。【選択図】図１
2014054342.tif 000002
【特許請求の範囲】
【請求項１】
収納空間を区画する内側壁に棚板を連結する棚連結部材であって、
前記棚板の下面に棚板幅方向に延びるように設けられた下方側及び幅方向外方側に開口した収容凹溝に収容される下方側及び幅方向外方側に開口し、かつ前記棚板の幅寸法に応じて切断可能とされたベース部材と、
前記ベース部材に収容され、該ベース部材の天板部を貫通する止具によって前記棚板に固定される固定部、及びこの固定部に対して固定的に設けられ、かつ前記棚板の側端面から幅方向外方側に向けて突出するように配置され、前記内側壁に設けられた係合穴に挿入される係合突起部を有した棚連結部と、
前記ベース部材の下方側開口を覆うように配設され、かつ前記棚板の幅寸法に応じて切断可能とされたカバー部材と、
を備えていることを特徴とする棚連結部材。
【請求項２】
請求項１において、
前記ベース部材の天板部には、棚板幅方向に延びるように、かつ前記止具が挿通されるスリット状開口が設けられていることを特徴とする棚連結部材。
【請求項３】
請求項１または２において、
前記棚連結部は、前記係合突起部の棚板幅方向内方側に係合部を設けたピン状部材と、このピン状部材の係合部が着脱自在に係合して取り付けられる被係合部を前記固定部に設けた固定部材と、を備えていることを特徴とする棚連結部材。
【請求項４】
請求項１乃至３のいずれか１項に記載の棚連結部材と、
下面に幅方向に延びるように下方側及び幅方向外方側に開口した収容凹溝が設けられ、収納空間を区画する両内側壁に架け渡されるように配設される棚板と、
を備えていることを特徴とする棚板装置。
【発明の詳細な説明】
【技術分野】
【０００１】
本発明は、収納空間を区画する内側壁に棚板を連結する棚連結部材及びこれを備えた棚板装置に関する。
【背景技術】
【０００２】
従来より、収納箱等の収納空間を区画する両内側壁に棚板を取り付ける構造としては、両内側壁にダボを設け、該ダボに係合するダボ受け凹所を棚板の幅方向両側端部に設けた構造が知られている。このような棚板の取付構造では、棚板が上下方向にぐらつき易いという問題があった。
例えば、下記特許文献１では、棚板の左右に設けられたダボ受け溝に嵌め込まれる棚ダボ受け部材を備えた棚板取付装置が提案されている。この棚板取付装置の棚ダボ受け部材は、棚板のダボ受け溝内に圧入して棚板内に埋設固定できるように略円柱状とされた受け部材本体を備えた構成とされている。
【先行技術文献】
【特許文献】
【０００３】
【特許文献１】特開２０１０−１６２号公報
【発明の概要】
【発明が解決しようとする課題】
【０００４】
しかしながら、上記特許文献１に記載の棚板取付装置は、略円柱状の受け部材本体を、棚板の左右のダボ受け溝に圧入して棚板内に埋設固定する構成とされている。そのため、収納空間を区画する両内側壁間の寸法（収納間口寸法）が異なる収納箱等に組み込む場合には、棚板の幅寸法を、該収納間口に応じた寸法とし、この棚板の左右に、略円柱状の受け部材本体が圧入されるダボ受け溝を設ける必要があった。このようなダボ受け溝を、組付現場等で加工するのは面倒で、また、加工し難く、更なる改善が望まれていた。
【０００５】
本発明は、上記実情に鑑みてなされたものであり、収納空間を区画する内側壁に棚板を安定的に連結可能でありながらも収納間口に応じて容易に対応可能な棚連結部材及びこれを備えた棚板装置を提供することを目的としている。
【課題を解決するための手段】
【０００６】
上記目的を達成するために、本発明に係る棚連結部材は、収納空間を区画する内側壁に棚板を連結する棚連結部材であって、前記棚板の下面に棚板幅方向に延びるように設けられた下方側及び幅方向外方側に開口した収容凹溝に収容される下方側及び幅方向外方側に開口し、かつ前記棚板の幅寸法に応じて切断可能とされたベース部材と、前記ベース部材に収容され、該ベース部材の天板部を貫通する止具によって前記棚板に固定される固定部、及びこの固定部に対して固定的に設けられ、かつ前記棚板の側端面から幅方向外方側に向けて突出するように配置され、前記内側壁に設けられた係合穴に挿入される係合突起部を有した棚連結部と、前記ベース部材の下方側開口を覆うように配設され、かつ前記棚板の幅寸法に応じて切断可能とされたカバー部材と、を備えていることを特徴とする。
【０００７】
本発明においては、前記ベース部材の天板部に、棚板幅方向に延びるように、かつ前記止具が挿通されるスリット状開口を設けてもよい。
また、本発明においては、前記棚連結部を、前記係合突起部の棚板幅方向内方側に係合部を設けたピン状部材と、このピン状部材の係合部が着脱自在に係合して取り付けられる被係合部を前記固定部に設けた固定部材と、を備えたものとしてもよい。
【０００８】
また、上記目的を達成するために、本発明に係る棚板装置は、本発明に係る棚連結部材と、下面に幅方向に延びるように下方側及び幅方向外方側に開口した収容凹溝が設けられ、収納空間を区画する両内側壁に架け渡されるように配設される棚板と、を備えていることを特徴とする。
【発明の効果】
【０００９】
本発明に係る棚連結部材及びこれを備えた棚板装置は、上述のような構成としたことで、収納空間を区画する内側壁に棚板を安定的に連結可能でありながらも収納間口に応じて容易に対応することができる。
【図面の簡単な説明】
【００１０】
【図１】（ａ）は、本発明の一実施形態に係る棚連結部材及びこれを備えた棚板装置の一例を模式的に示す概略分解斜視図、（ｂ）は、同棚連結部材の概略分解斜視図である。
【図２】（ａ）は、図３（ａ）におけるＸ−Ｘ線矢視に対応させた一部破断概略縦断面図、（ｂ）は、（ａ）に対応させた一部破断概略分解縦断面図、（ｃ）は、図３（ａ）におけるＹ−Ｙ線矢視に対応させた一部破断概略縦断面図である。
【図３】（ａ）、（ｂ）は、同棚板装置の概略平面図である。
【図４】（ａ）、（ｂ）は、同棚板装置を組み込んだ収納構造の一例を模式的に示す一部破断概略正面図である。
【発明を実施するための形態】
【００１１】
以下に本発明の実施の形態について、図面に基づいて説明する。
図１〜図４は、本実施形態に係る棚連結部材及びこれを備えた棚板装置の一例を模式的に示す図である。
なお、一部の図では、他図に付している詳細な符号の一部を省略している。
また、以下の実施形態では、一方側に開口する収納空間に棚板装置を配設し、その開口に対面した状態を基準として、手前側を前方、その逆側を後方とし、また、その状態を基準として、上下方向等の方向を原則的に説明する。
【００１２】
本実施形態では、図４に示すように、収納空間４（４Ａ）を区画する両内側壁を構成する左右の側板３，３を設けた収納構造５（５Ａ）に、本実施形態に係る棚板装置１を組み込んだ例を示している。つまり、収納空間４（４Ａ）を区画する両内側壁を、左右の側板３，３の互いに向き合う両内側面３ａ，３ａとし、これらによって収納空間４（４Ａ）の左右両側を区画した例を示している。
また、図４では、本実施形態に係る棚板装置１と、他の棚板１０Ａと、を収納構造５（５Ａ）に設けた例を示している。なお、図４では、複数枚（図例では、２枚）の本実施形態に係る棚板装置１，１と、複数枚（図例では、２枚）の他の棚板１０Ａ，１０Ａと、を収納構造５（５Ａ）に設けた例を示しているが、これらの枚数は図例の枚数に限られない。
【００１３】
また、本実施形態では、これら左右の側板３，３を、天井面６と床面７との間の上下寸法に応じた上下寸法とし、これら天井面６及び床面７によって収納空間４（４Ａ）の上下両側を区画した例を示している。なお、これら左右の側板３，３の上端や下端を、天井や床等に適宜の固定具によって固定するようにしてもよい。また、収納空間４（４Ａ）の上側を天井面６によって区画する態様に代えて、建物内に掘り込み状に設けられた掘り込み状収納の天面によって区画する態様としてもよい。
また、本実施形態では、これら左右の側板３，３の後端面を、壁面８に当接させ、壁面８によって収納空間４（４Ａ）の奥側を区画した例を示している。つまり、本実施形態では、収納構造５（５Ａ）を、壁付け収納とした例を示している。
【００１４】
左右の側板３，３の両内側面３ａ，３ａには、係合穴３ｂがそれぞれに設けられている（図２（ａ）参照）。これら内側面３ａ，３ａのそれぞれに設けられた各係合穴３ｂは、互いに対向する方向に開口する丸穴状のダボ穴３ｂとされている。
このダボ穴３ｂは、各内側面３ａ，３ａに、上下方向に沿って間隔を空けて複数設けられている。また、このダボ穴３ｂは、収納空間４（４Ａ）の奥行方向（前後方向）に間隔を空けて二列状に設けられている。
【００１５】
このダボ穴３ｂに、後記する本実施形態に係る棚板装置１の棚連結部材２の係合突起部２２が挿入される。
また、このダボ穴３ｂに、他の棚板１０Ａを受ける棚受ダボが挿入され、他の棚板１０Ａが棚受ダボに支持される構成とされている。他の棚板１０Ａは、その幅方向（左右方向）両側に棚受ダボを受け入れる係合凹溝を設けた構成とされたものとしてもよい。なお、他の棚板１０Ａを左右の側板３，３間に架け渡す態様としては、その他、種々の態様としてもよく、このような他の棚板１０Ａを設けないようにしてもよい。
【００１６】
また、図４（ａ）、（ｂ）では、それぞれ互いに異なる収納間口寸法（棚板幅寸法、左右寸法）Ｗ１，Ｗ２とされた収納構造５，５Ａを例示している。図例では、図４（ａ）に示す収納構造５の左右の側板３，３間の収納間口寸法Ｗ１よりも、図４（ｂ）に示す収納構造５Ａの左右の側板３，３間の収納間口寸法Ｗ２を小さくした例を示している。
なお、収納空間４（４Ａ）の左右両側を区画する両内側壁は、左右の側板３，３の対向する両内側面３ａ，３ａに限られず、両内側壁の両方または一方を、建物内の間仕切壁等の壁面等としてもよい。
また、当該棚板装置１が組み込まれる対象は、上記のように収納空間４（４Ａ）を区画する少なくとも一面が建物仕上面（天井面６や床面７、壁面８等）とされた壁付け収納や掘り込み状収納等の収納構造５（５Ａ）に限られない。当該棚板装置１が組み込まれる対象は、例えば、左右の側板３，３に加え、天板や底板（地板）、背板等を備え、これらによって前方に向けて開口する収納空間を区画する略箱形状とされた収納箱等としてもよい。
【００１７】
本実施形態に係る棚板装置１は、図１及び図４に示すように、左右の側板３，３の両内側面３ａ，３ａ間に架け渡されるように配設される棚板１０と、この棚板１０を内側面３ａに連結する本実施形態に係る棚連結部材２と、を備えている。
本実施形態では、棚板１０の幅方向（左右方向、収納間口方向）両側を、棚連結部材２，２によって左右の側板３，３の両内側面３ａ，３ａに連結する例を示している。
また、本実施形態では、棚板１０の前後方向（収納奥行方向）に間隔を空けた複数箇所（図例では二箇所）を、棚連結部材２，２によって各側板３，３の内側面３ａ，３ａに連結する例を示している（図３も参照）。
【００１８】
棚板１０は、図１に示すように、略矩形平板状とされている。この棚板１０は、後記するように、収納間口寸法に応じて切断可能とされ、その幅寸法の調整が可能とされている。
また、棚板１０の下面１２には、幅方向に延びるように下方側及び幅方向外方側に開口した収容凹溝１３が設けられている。
この収容凹溝１３は、図２に示すように、棚板１０の側端面１１及び下面１２において開口するように、棚板１０の幅方向に沿って長尺状に形成されている。また、この収容凹溝１３は、棚板１０の厚さ方向に形成され、下向きの縦断面略コ字状（略Ｕ字状または略Ｃ字状）とされている。
【００１９】
この収容凹溝１３を区画する下向きの溝底面は、略平坦面とされている。また、この収容凹溝１３の溝幅方向（前後方向）両側を区画する両溝側面は、互いに略平行に形成され、それぞれ溝底面に対して略直交するように形成されている。また、図例では、この収容凹溝１３の棚板幅方向内方側（棚板幅方向中心側）を区画し、両溝側面に連なる溝内端部（棚板幅方向外方側に向く溝内面）を、溝底面に対して略直交し、両溝側面を接続するように形成された凹湾曲面形状とした例を示している。
【００２０】
また、本実施形態では、棚板１０の幅方向両側の前後方向に間隔を空けた二箇所のそれぞれに収容凹溝１３，１３，１３，１３を設けている（図３（ａ）参照）。これら前後方向に間隔を空けて設けられた収容凹溝１３，１３は、上記した各側板３，３の内側面３ａ，３ａに奥行方向（前後方向）に間隔を空けて二列状に設けられたダボ穴３ｂに応じた位置となるように設けられている。図例では、棚板１０の幅方向両側の前端部近傍及び後端部近傍のそれぞれに略同寸同形状の収容凹溝１３，１３，１３，１３を設けた例を示している。
【００２１】
この収容凹溝１３の溝深さ寸法（棚板厚さ方向に沿う寸法）や溝長さ寸法（棚板幅方向に沿う寸法）は、後記する棚連結部材２のベース部材１５に応じた寸法とすればよい。この収容凹溝１３の溝深さ寸法は、棚板１０の厚さ寸法等にもよるが、棚板１０の強度上の観点等から、例えば、棚板１０の厚さ寸法の１／４〜３／４程度の溝深さ寸法としてもよく、本実施形態では、棚板１０の厚さ寸法の１／２程度の溝深さ寸法とした例を示している。また、この収容凹溝１３の溝長さ寸法は、後記するように収納間口寸法に応じて切断されて幅寸法が調整される当該棚板１０の調整幅等に応じて、適宜、設定するようにしてもよい。例えば、５０ｍｍ〜２００ｍｍ程度としてもよく、本実施形態では、棚板１０の幅方向一端側を１００ｍｍ程度切断しても棚連結部材２による側板３への連結が可能となるような寸法としている。
【００２２】
なお、図４において、符号１４は、棚板１０の後端部に固定され、壁面８にねじ等の止具によって固定される固定片部１４である。なお、このような固定片部１４を設けないようにしてもよい。
また、この棚板１０は、木質系材料を板状に加工した基材に、適宜、合成樹脂シートや突板等の表面化粧シートの貼着や、塗装等がなされた構成とされたものとしてもよい。また、木質系材料としては、合板やＬＶＬ（単板積層材）等の木質積層板、パーティクルボード等の木質ボード、インシュレーションボードやＭＤＦ（中密度繊維板）等の木質繊維板などが挙げられる。また、木質系材料としては、合成樹脂系材料に、木粉や無機フィラー、相溶化剤、着色剤などを所定の含有割合で含有させた木粉・プラスチック複合材（ＷＰＣ）としてもよい。また、上記基材としては、合成樹脂系材料や金属系材料からなるものとしてもよい。
【００２３】
本実施形態に係る棚連結部材２は、図１に示すように、棚板１０に設けられた収容凹溝１３に収容されるベース部材１５と、このベース部材１５の下方側開口を覆うように配設されるカバー部材１９と、を備えている。また、棚連結部材２は、棚板１０に固定され、棚板１０を側板３に連結する棚連結部２０を備えている。この棚連結部２０は、ベース部材１５に収容され、棚板１０に固定される固定部２８を備えている。また、この棚連結部２０は、固定部２８に対して固定的に設けられ、かつ棚板１０の側端面１１から棚板幅方向外方側に向けて突出するように配置され、側板３に設けられた係合穴３ｂに挿入される係合突起部２２を備えている（図２（ａ）も参照）。
本実施形態では、棚板装置１は、棚板１０に設けられた収容凹溝１３，１３，１３，１３に対応させて、略同様の構成とされた４つの棚連結部材２，２，２，２を備えている（図３も参照）。
【００２４】
ベース部材１５は、図１及び図２に示すように、下方側及び幅方向（棚板幅方向）外方側に開口し、棚板１０の幅方向に沿って長尺状とされている。このベース部材１５は、棚板１０の幅寸法に応じて切断可能とされ、その長さの調整が可能とされている。また、このベース部材１５は、棚板１０の収容凹溝１３に応じた形状とされており、収容凹溝１３に嵌め込まれるように収容される。
このベース部材１５は、天板部１６と、この天板部１６の前後（溝幅方向）両側縁部及び反棚板幅方向外方側開口側（棚板幅方向内方側）縁部から垂れ下がるように一連に設けられた側周部１８と、を備えている。これら天板部１６及び側周部１８は、薄板状とされ、ベース部材１５は、これら天板部１６及び側周部１８によって、下方側及び幅方向外方側に開口し、棚板１０の幅方向に沿って長尺状の受入溝を区画している。また、ベース部材１５は、その長手方向に直交する縦断面形状が概ね一様とされている。
【００２５】
天板部１６は、棚板１０の収容凹溝１３の溝底面に応じた形状とされており、収容凹溝１３の溝底面に当接される。この天板部１６を貫通する止具９によって、後記する棚連結部２０の固定部２８が棚板１０に固定される。
本実施形態では、図１（ｂ）及び図２に示すように、この天板部１６に、棚板１０の幅方向に延びるように、かつ止具９が挿通されるスリット状開口１７を設けている。つまり、このスリット状開口１７は、当該ベース部材１５の長手方向に沿って延びるように、天板部１６を厚さ方向に貫通するように設けられている。
また、本実施形態では、このスリット状開口１７を、図１（ｂ）に示すように、天板部１６の前後方向略中央部に設け、ベース部材１５の長手方向の概ね全長に亘って設けている。また、図例では、ベース部材１５の棚板幅方向外方側開口側において開口するようにスリット状開口１７を設けた例を示している。このスリット状開口１７の前後寸法（開口幅寸法）は、止具９の挿通が可能な寸法としてもよい。
【００２６】
側周部１８は、棚板１０の収容凹溝１３の両溝側面及び溝内端部に応じた形状とされており、これら両溝側面及び溝内端部に当接または近接配置される。
このベース部材１５は、図２（ｂ）に示すように、棚板１０の側端面１１及び下面１２から突出しないように、その略全体が棚板１０の収容凹溝１３に収容される構成とされている。図例では、ベース部材１５を、収容凹溝１３に収容させた状態で、ベース部材１５の側周部１８の側端面１１側縁部及び下端縁部が棚板１０の側端面１１及び下面１２のそれぞれと略面一状となるように構成した例を示している。
なお、このベース部材１５は、後記する棚連結部２０の固定部２８を棚板１０に固定する止具９によってその天板部１６が棚板１０に固定されるため、棚板１０の収容凹溝１３に嵌め込むのみで取り付けるようにしてもよい。または、このベース部材１５を、接着剤や粘着材等によって棚板１０の収容凹溝１３に取り付けるようにしてもよい。
【００２７】
カバー部材１９は、図１（ｂ）及び図２に示すように、ベース部材１５の下方側開口に応じた形状とされている。このカバー部材１９は、ベース部材１５と同様、棚板１０の幅寸法に応じて切断可能とされ、その長さの調整が可能とされている。
また、本実施形態では、カバー部材１９を、薄平板状とし、その前後寸法及び長さ寸法（棚板幅方向に沿う寸法）をベース部材１５の前後寸法及び長さ寸法（棚板幅方向に沿う寸法）よりも僅かに大きくしている。つまり、カバー部材１９は、ベース部材１５の下方側開口を覆うように、その周縁部を棚板１０の下面１２に当接または近接させて配設される構成とされている。なお、このような態様に代えて、ベース部材１５及びカバー部材１９を棚板１０に組み付けた状態で、カバー部材１９の下面が棚板１０の下面１２と略同一平面状となるようにこれらベース部材１５及びカバー部材１９を構成するようにしてもよい。
【００２８】
また、このカバー部材１９は、ベース部材１５に対して着脱可能に取り付けられるものとしてもよい。例えば、カバー部材１９の上面側に上方に向けて突出し、ベース部材１５の下方側開口に圧入される突出片を設けるようにしてもよい。このような突出片は、カバー部材１９が切断された場合にも圧入可能なように、カバー部材１９の前後両側縁部に、当該カバー部材１９の長手方向の略全長に亘って、または、長手方向に沿って間隔を空けて複数箇所に設けるようにしてもよい。また、カバー部材１９をベース部材１５に対して着脱可能に取り付ける態様としては、このような態様に限られず、例えば、一方に係止凹部や係止突部等の係止部を設け、他方に、該係止部に着脱可能に係止される被係止部を設けた態様としてもよく、その他、種々の取付態様の採用が可能である。
なお、このようにカバー部材１９をベース部材１５に対して容易に着脱可能に取付可能とした態様に代えて、または加えて、カバー部材１９をベース部材１５または棚板１０に対して容易に取り外し難いように接着剤や粘着材等によって取り付ける態様としてもよい。
【００２９】
棚連結部２０は、本実施形態では、係合突起部２２の棚板幅方向内方側に係合部２３を設けたピン状部材２１と、このピン状部材２１の係合部２３が着脱自在に係合して取り付けられる被係合部２９ａを固定部２８に設けた固定部材２７と、を備えている。
ピン状部材２１の係合突起部２２は、本実施形態では、側板３に設けられたダボ穴３ｂに嵌め込まれるように挿入される略円柱状で、ダボ状とされている。この係合突起部２２は、ダボ穴３ｂに対して軸廻りに容易には回転しないようダボ穴３ｂよりも僅かに大径状とし、ダボ穴３ｂに対して圧入されるように挿入されるものとしてもよい。
ピン状部材２１の係合部２３は、本実施形態では、係合突起部２２と略同軸状（略同心状）で係合突起部２２よりも大径状とされた鍔状係合部２３とされている。この鍔状係合部２３は、当該棚連結部材２が棚板１０に組み付けられた状態で、その棚板幅方向外方側面が棚板１０の側端面１１と略同一平面状となるように配設される（図２（ａ）参照）。
【００３０】
また、本実施形態では、ピン状部材２１は、その鍔状係合部２３の棚板幅方向内方側に、当該ピン状部材２１を固定部材２７に固定する固定具２５に固定される被固定部２４を設けた構成とされている。本実施形態では、この被固定部２４を、係合突起部２２と略同軸状（略同心状）で鍔状係合部２３よりも小径状とされた雄ねじ部２４としている。図例では、この雄ねじ部２４を、係合突起部２２よりも僅かに小径状とした例を示している。なお、この雄ねじ部２４の固定具２５に対する締付けや締付け解除操作が可能なように係合突起部２２の突出方向先端面に十字穴やすりわり等を設けるようにしてもよい。
これら係合突起部２２、鍔状係合部２３及び雄ねじ部２４は、一体的に形成されている。
【００３１】
固定具２５は、ピン状部材２１の雄ねじ部２４に応じた雌ねじ孔２６を設けた雌ねじ部材２５とされている。この雌ねじ部材２５は、その軸心に軸方向に貫通する雌ねじ孔２６を設けた略円筒形状とされている。この雌ねじ部材２５は、当該棚連結部材２が棚板１０に組み付けられた状態で、カバー部材１９と干渉しないようベース部材１５に概ね全体が収容される。
また、この雌ねじ部材２５には、その外周面において開口し、軸心に向けて形成されたピン穴２５ａが設けられている。図例では、複数のピン穴２５ａを周方向及び軸方向に間隔を空けて設けた例を示している。このようなピン穴２５ａを設けた態様とすることで、このピン穴２５ａにピン等を差し込むことで、ピン状部材２１の雄ねじ部２４に対する雌ねじ部材２５の共廻りを防止したり、締め付けたり、締め付けを解除したりすることができる。
【００３２】
固定部材２７は、当該棚連結部材２が棚板１０に組み付けられた状態で、カバー部材１９と干渉しないようベース部材１５に概ね全体が収容される。
この固定部材２７の固定部２８は、本実施形態では、図１（ｂ）及び図２に示すように、ベース部材１５の天板部１６に沿うように、厚さ方向を棚板１０の厚さ方向に沿わせて配設される薄板片状の固定片２８とされている。この固定片２８は、その前後寸法が、ベース部材１５の側周部１８の前後の内側面間の寸法に応じた寸法とされている。このような構成とすることで、ベース部材１５の上記受入溝内における当該固定部材２７の前後方向への位置ずれを抑制することができる。また、この固定片２８は、その棚板幅方向に沿う寸法（左右寸法）が、ベース部材１５の長さ寸法よりも小さい寸法とされている。この固定片２８の棚板幅方向に沿う寸法は、棚板１０の調整幅に応じて長さ調整されるベース部材１５の受入溝に収容可能なように、ベース部材１５の長さ寸法よりも小さい寸法とすればよい。
また、本実施形態では、この固定片２８に、止具９の止具孔２８ａを厚さ方向に貫通させて設けている。この止具孔２８ａは、固定片２８の前後方向略中央に設けられており、当該固定部材２７がベース部材１５に収容された状態で、ベース部材１５のスリット状開口１７と棚板厚さ方向に連通するように形成されている。
【００３３】
固定部材２７の被係合部２９ａは、本実施形態では、固定片２８の棚板幅方向外方側縁部から垂れ下がるように一連に設けられた被係合片２９に設けられている。この被係合片２９は、厚さ方向を棚板１０の幅方向に沿わせて配設される薄板片状とされている。また、この被係合片２９は、その棚板幅方向外方側面が棚板１０の側端面１１と略同一平面状となるように配設される。このような被係合片２９を設けた態様とすることで、当該固定部材２７のベース部材１５の長手方向に沿う位置決めを容易に行うことができる。
また、この被係合片２９に設けられた被係合部２９ａを、下向きに開口し、切欠状に形成された係合凹部２９ａとしている。この係合凹部２９ａは、ピン状部材２１の鍔状係合部２３に応じた形状とされている。また、この係合凹部２９ａには、この鍔状係合部２３を係合させた状態（受け入れた状態）で、当該固定部材２７に対するピン状部材２１の棚板幅方向内方側への移動を規制するように鍔状係合部２３の棚板幅方向内方側面に当接される段状の当接面が形成されている。
【００３４】
上記したピン状部材２１は、その鍔状係合部２３を固定部材２７の被係合片２９の係合凹部２９ａに係合させ、その雄ねじ部２４に、雌ねじ部材２５の雌ねじ孔２６を嵌め合わせて締め付け、固定部材２７に対して固定的に取り付けられる。この状態では、鍔状係合部２３と雌ねじ部材２５とによって固定部材２７の被係合片２９を挟むように保持し、ピン状部材２１が固定部材２７に対して固定的に取り付けられた状態となる。なお、ピン状部材２１を固定部材２７に対して固定的に取り付ける態様としては、このような態様に限られない。例えば、ピン状部材２１に、棚板幅方向内方側に向けて開口する雌ねじ穴を設け、固定具２５を、この雌ねじ穴に嵌め合わされる雄ねじ部材としてもよい。つまり、ピン状部材２１及び固定具２５のそれぞれに互いに嵌まり合うねじ部を設け、これらによって固定部材２７の被係合片２９を挟むように保持することで、ピン状部材２１を固定部材２７に対して固定的に取り付ける態様としてもよい。その他、種々の取付態様の採用が可能である。
【００３５】
なお、上記した棚連結部材２を構成する各部材は、合成樹脂系材料や、金属系材料等からなるものとしてもよい。例えば、強度上の観点等から、棚連結部２０のピン状部材２１、固定具（雌ねじ部材）２５及び固定部材２７を金属系材料から形成されたものとし、ベース部材１５及びカバー部材１９を、加工性や切断性等の観点等から、合成樹脂系材料から形成されたものとしてもよい。その他、これら各部材は、種々の材料から形成されたものとしてもよい。
【００３６】
上記構成とされた棚連結部材２を用いて棚板１０を収納構造５（５Ａ）に組み込む際には、例えば、以下のようにしてもよい。
まず、棚板１０の幅寸法を、必要に応じて、組み込み対象となる収納構造５（５Ａ）の収納間口寸法Ｗ１（Ｗ２）に応じた寸法となるように切断して調整する。また、各棚連結部材２のベース部材１５及びカバー部材１９の長さを、幅調整された棚板１０の収容凹溝１３の長さに応じた寸法となるように切断して調整する。この際、棚板１０の各収容凹溝１３に各棚連結部材２のベース部材１５及びカバー部材１９の両方またはベース部材１５のみを組み付けた状態（仮組状態）で、棚板１０とともに切断するようにしてもよい。
【００３７】
図３（ａ）では、図４（ａ）に示す収納構造５の収納間口寸法Ｗ１に応じた幅寸法の棚板１０を例示している。この棚板１０の切断前の幅寸法は、比較的に大きい収納間口寸法に対応させた寸法としてもよい。
図３（ｂ）では、図４（ｂ）に示す収納構造５Ａの収納間口寸法Ｗ２に応じた幅寸法に調整した棚板１０を例示しており、図３（ａ）の棚板１０の幅方向両側を切断した例を示している。なお、棚板１０の幅調整は、収納構造５Ａの収納間口寸法Ｗ２に応じて、幅方向一方側のみを切断することで調整するようにしてもよい。
次いで、各棚連結部材２のベース部材１５を各収容凹溝１３に収容させた棚板１０に、各棚連結部材２の固定部材２７の固定片２８を止具９によって固定する。この際、固定部材２７の被係合片２９が棚板１０の側端面１１と略同一平面状となるように位置決めし、固定するようにしてもよい。また、各棚連結部材２のピン状部材２１の係合突起部２２を、各側板３のダボ穴３ｂに嵌め込む。
【００３８】
次いで、各棚連結部材２の固定部材２７の被係合片２９の係合凹部２９ａに、各側板３に固定された各棚連結部材２のピン状部材２１の鍔状係合部２３を係合させ、棚板１０を保持させる。そして、各棚連結部材２の雌ねじ部材２５を、各棚連結部材２のピン状部材２１の雄ねじ部２４に嵌め合わせて締め付け、各棚連結部材２の固定部材２７と各棚連結部材２のピン状部材２１とを固定的に連結する。この際、雌ねじ部材２５のピン穴２５ａにピン等を差し込み、締め付け操作するようにしてもよい。また、この場合、雌ねじ部材２５に対するピン状部材２１の雄ねじ部２４の共廻りを抑制可能なように、ピン状部材２１の鍔状係合部２３及び固定部材２７の被係合片２９の係合凹部２９ａを、ピン状部材２１の軸廻りの回転を規制する側面視略矩形状等の形状としてもよい。
【００３９】
次いで、各棚連結部材２のカバー部材１９を取り付けるようにしてもよい。
なお、上記した組付手順は一例であり、各部材等の機能を阻害しない限りにおいて別手順で行うようにしてもよい。例えば、各棚連結部材２のピン状部材２１を、雌ねじ部材２５を介して固定部材２７に固定的に取り付けた状態で、各係合突起部２２を各側板３のダボ穴３ｂに嵌め込む。次いで、各棚連結部材２のベース部材１５を各収容凹溝１３に収容させた棚板１０に、各棚連結部材２の固定部材２７の固定片２８を止具９によって固定するようにしてもよい。
【００４０】
また、上記のように収納構造５（５Ａ）に組み込まれた棚板装置１を、収納構造５（５Ａ）、つまりは各側板３から取り外す際には、例えば、以下のようにしてもよい。
まず、各棚連結部材２のカバー部材１９を取り外す。次いで、各棚連結部材２の雌ねじ部材２５のピン穴２５ａにピン等を差し込み、ピン状部材２１の雄ねじ部２４に対する締め付けを緩め、各棚連結部材２のベース部材１５及び固定部材２７が固定された棚板１０を各側板３から取り外すようにしてもよい。または、各棚連結部材２のカバー部材１９を取り外し、棚板１０に捩じ込んだ止具９を取り外す。次いで、棚板１０を各棚連結部材２の棚連結部２０から取り外し、各棚連結部材２の棚連結部２０を各側板３から取り外すようにしてもよい。
【００４１】
本実施形態に係る棚連結部材２及びこれを備えた棚板装置１は、上述のような構成としたことで、収納空間４（４Ａ）を区画する内側壁（内側面）３ａに棚板１０を安定的に連結可能でありながらも収納間口に応じて容易に対応することができる。
つまり、棚連結部材２の棚連結部２０に、ベース部材１５の天板部１６を貫通する止具９によって棚板１０に固定される固定部（固定片）２８と、この固定部２８に対して固定的に設けられ、係合穴（ダボ穴）３ｂに挿入される係合突起部２２と、を設けている。従って、例えば、棚板のダボ受け凹所にダボを係合させる構造とした場合と比べて、棚連結部２０によって収納空間４（４Ａ）を区画する内側壁３ａに棚板１０を安定的に連結することができる。
【００４２】
また、棚連結部材２は、棚板１０の収容凹溝１３に収容される下方側及び幅方向外方側に開口し、棚板１０の幅寸法に応じて切断可能とされたベース部材１５を備えている。従って、これら棚板１０の収容凹溝１３及びベース部材１５の棚板幅方向に沿う寸法に概ね応じた範囲内で、棚板１０及びベース部材１５を収納間口に応じて切断した場合にも、ベース部材１５を収容する収容凹溝１３が消失するようなことがない。また、棚連結部２０の固定部２８を収容するベース部材１５をこの収容凹溝１３に収容させることができる。これにより、例えば、棚板を収納間口に応じた幅寸法とし、この棚板の幅方向端部に、略円柱状のダボ受け部材が圧入されるダボ受け溝等を組付現場等で加工する場合と比べて、収納間口に応じて容易に対応することができる。
また、棚連結部材２は、ベース部材１５の下方側開口を覆うように配設され、かつ棚板１０の幅寸法に応じて切断可能とされたカバー部材１９を備えている。従って、収納間口に応じて容易に対応することができ、棚板１０の下面１２側の見栄えを向上させることができる。
【００４３】
また、住居等の建物内に設けられる壁付け収納や掘り込み状収納等の収納構造５（５Ａ）に、棚板１０を組み付ける場合には、収納間口寸法が収納箱等のように規格化されていないことが多々あり、棚板１０の幅寸法を組付現場等において調整する必要が生じる場合がある。このような場合にも本実施形態に係る棚連結部材２及びこれを備えた棚板装置１によれば、上述のように、収納構造５（５Ａ）の収納間口に応じて容易に対応することができる。
【００４４】
また、本実施形態では、棚連結部材２のベース部材１５の天板部１６に、棚板幅方向に延びるように、かつ棚連結部２０の固定部２８を棚板１０に固定する止具９が挿通されるスリット状開口１７を設けている。従って、ベース部材１５を棚板１０の幅寸法に応じて切断した場合にも、このスリット状開口１７を介して容易に止具９によって棚連結部２０の固定部２８を棚板１０に固定することができる。
【００４５】
また、本実施形態では、棚連結部材２の棚連結部２０を、係合突起部２２の棚板幅方向内方側に係合部２３を設けたピン状部材２１と、このピン状部材２１の係合部２３が着脱自在に係合して取り付けられる被係合部２９ａを固定部２８に設けた固定部材２７と、を備えた構成としている。従って、係合突起部２２を有したピン状部材２１を、棚板１０に固定される固定部２８を有した固定部材２７に対して取り外すことができる。これにより、上記したように、当該棚連結部材２を用いて内側壁３ａに連結した棚板１０から固定部材２７を取り外すことなく、この棚板１０を内側壁３ａから取り外すこともできる。
【００４６】
なお、本実施形態では、棚板１０の幅方向両側に収容凹溝１３，１３を設け、幅方向両側を幅調整のために切断可能とした例を示しているが、棚板１０の幅方向一方側のみに収容凹溝１３を設け、この収容凹溝１３に棚連結部材２を組み付けた態様としてもよい。この場合は、棚板１０の幅方向他方側を、他の連結態様によって収納空間４（４Ａ）を区画する内側壁３ａに連結するようにしてもよい。または、棚板１０の幅方向両側のそれぞれに収容凹溝１３，１３を設けた態様に代えて、棚板１０の幅方向の全幅に亘る収容凹溝１３を設けた態様としてもよい。つまり、棚板１０の下面１２に、下方側及び幅方向両外方側に開口する収容凹溝１３を設けた態様としてもよい。この場合は、ベース部材１５及びカバー部材１９も、この収容凹溝１３に応じた形状とし、これらの両側に棚連結部２０，２０をそれぞれに設ける態様としてもよい。
また、本実施形態では、棚連結部材２の棚連結部２０を、ピン状部材２１と、このピン状部材２１に対して着脱自在に固定的に取り付けられる固定部材２７と、を備えた構成とした例を示しているが、このような態様に限られない。例えば、棚板１０に止具９によって固定される固定部２８と、係合穴３ｂに挿入される係合突起部２２と、を一体的に形成した棚連結部２０としてもよい。
【００４７】
また、本実施形態では、棚連結部材２のベース部材１５の天板部１６に、スリット状開口１７を設けた例を示しているが、このようなスリット状開口１７に代えて、天板部１６の下面に棚板幅方向に延びるように、例えば、断面略Ｖ字状等の細凹溝を設けた態様としてもよい。さらには、ベース部材１５の天板部１６に、このような止具９の挿通箇所や、止着箇所の目安等を設けないようにしてもよい。
また、本実施形態に係る棚板装置１は、例えば、ベース部材１５及びカバー部材１９を棚板１０が備えたものとし、この棚板１０と、棚連結部２０を有した棚連結部材２と、を備えたものとして把握するようにしてもよい。
【符号の説明】
【００４８】
１        棚板装置
２        棚連結部材
１０      棚板
１１      側端面
１２      下面
１３      収容凹溝
１５      ベース部材
１６      天板部
１７      スリット状開口
１９      カバー部材
２０      棚連結部
２１      ピン状部材
２２      係合突起部
２３      鍔状係合部（係合部）
２７      固定部材
２８      固定片（固定部）
２９ａ    係合凹部（被係合部）
３ａ      内側面（内側壁）
３ｂ      係合穴
４，４Ａ  収納空間
９        止具
【図１】
2014054342.tif 000003
【図２】
2014054342.tif 000004
【図３】
2014054342.tif 000005
【図４】
2014054342.tif 000006